(57)【要約】【課題】  加熱対象を効果的に加熱することができる加熱ヘッドを備えた美容器具を提供する。【解決手段】  本体ケース１と、本体ケース１で支持される加熱ヘッド２とを備えており、加熱ヘッド２の伝熱部１４に加熱対象を加熱する面状ヒーター１５を配置する。面状ヒーター１５は、一対の絶縁シート２５・２６と、両絶縁シート２５・２６の間に配置された発熱素子２７とを含んで構成し、伝熱部１４の内部に設けた固定部１９・２０で固定する。固定部１９・２０で固定された面状ヒーター１５は、伝熱部１４へ向かって外突状に湾曲してあることを特徴とする。【選択図】図１
2014064734.tif 000002
【特許請求の範囲】
【請求項１】
本体ケース（１）と、本体ケース（１）で支持される加熱ヘッド（２）とを備えており、加熱ヘッド（２）の伝熱部（１４）に加熱対象を加熱する面状ヒーター（１５）が配置してある美容器具であって、
面状ヒーター（１５）は、一対の絶縁シート（２５・２６）と、両絶縁シート（２５・２６）の間に配置された発熱素子（２７）とを含んで構成されて、伝熱部（１４）の内部に設けた固定部（１９・２０）に固定されており、
固定部（１９・２０）に固定された面状ヒーター（１５）が、伝熱部（１４）へ向かって外突状に湾曲していることを特徴とする加熱ヘッドを備えた美容器具。
【請求項２】
面状ヒーター（１５）が、一対の絶縁シート（２５・２６）の周縁どうしを接合固定して構成されており、
接合固定されたヒーター周縁部（２９）が前記固定部（１９・２０）で固定されている請求項１に記載の加熱ヘッドを備えた美容器具。
【請求項３】
ヒーター周縁部（２９）に凹周縁部（３４）と凸周縁部（３５）とが形成されており、
凸周縁部（３５）が前記固定部（１９・２０）で固定してある請求項２に記載の加熱ヘッドを備えた美容器具。
【請求項４】
一対の絶縁シート（２５・２６）のうち、伝熱部（１４）と正対する側の絶縁シート（２６）の厚みが、他方の絶縁シート（２５）の厚みより大きく設定してある請求項１から３のいずれかひとつに記載の加熱ヘッドを備えた美容器具。
【請求項５】
一対の絶縁シート（２５・２６）の間に配置した発熱素子（２７）が、いずれか一方の絶縁シート（２５）に粘着シート（２８）を介して接着固定されており、
前記粘着シート（２８）のシート基材が熱硬化性を備えたプラスチックシートで形成してある請求項１から４のいずれかひとつに記載の加熱ヘッドを備えた美容器具。
【発明の詳細な説明】
【技術分野】
【０００１】
本発明は、まつ毛整形具、リップクリーム等の塗伸ばし器具、美容目的の温熱マッサージ器具などの加熱ヘッドを備えた美容器具に関する。
【背景技術】
【０００２】
この種の美容器具は、例えば特許文献１に公知である。そこでは、グリップを兼ねる本体ケースの一端に、まつ毛を成形するための整形ヘッドが設けてある。整形ヘッドの周面には、一群の櫛歯を備えた第１整形面と第２整形面が背中合わせ状に設けてあり、各整形面の内部に沿ってまつ毛を加熱するヒーターが配置してある。第１整形面は主にまつげ列の湾曲中央に位置する長いまつ毛をカールするために設けてあり、第２整形面は目頭や目尻寄りの短いまつ毛をポイントカールするために設けてある。ヒーターは、第１整形面および第２整形面の内部に沿って折返し配置したヒーター線で構成してあり、第１整形面の内部におけるヒーター線の折り返し配置回数を大きくすることにより、第１整形面の熱量が第２整形面の熱量より大きくなるようにしてある。
【先行技術文献】
【特許文献】
【０００３】
【特許文献１】特開２００９−２１９５７１号公報（段落番号００３９、図１２）
【発明の概要】
【発明が解決しようとする課題】
【０００４】
特許文献１の美容器具によれば、湾曲中央の長いまつ毛を第１整形面でカールし、目頭や目尻寄りの短いまつ毛を第２整形面でカールすることができる。しかし、ヒーター線を加熱要素にして、これを細い棒状の整形ヘッドの内部に折返し配置する必要があるので、ヒーター線を各整形面の内部に組込む作業が煩わしく組付けに時間がかかるのを避けられない。また、ヒーター線を加熱要素にするので、各整形面のヒーター線に近い位置と、ヒーター線から離れた位置とで温度状態にばらつきを生じやすく、まつ毛をカールするときの処理時間や仕上がり状態に個人差が表れやすい。
【０００５】
本発明者等は、上記のような温度状態のばらつきを解消するために、加熱要素として均一な発熱状態を発揮できる面状ヒーターを使用することを検討した。また、面状ヒーターを熱源にしたまつ毛整形具を試作して、その効果を検証した。面状ヒーターは、プラスチック製の絶縁シートの上面に発熱素子を固定し、その上面を別の絶縁シートで覆う構造とした。発熱素子は、ステンレス箔にエッチング加工を施して形成した。
【０００６】
図１３は、上記の面状ヒーターを試作したまつ毛成形用の加熱ヘッドに組付けた状態を示している。加熱ヘッド６０は、左ケース６０ａと右ケース６０ｂとを蓋合わせ状に接合して構成してあり、両ケース６０ａ・６０ｂの接合部の間に設けた挟持部６１・６２で、面状ヒーター６３の対向周縁部を挟持して、その発熱面を右ケース６０ｂに開口した加熱窓６４に臨ませるようにした。加熱窓６４は、一定間隔おきに設けた櫛歯６５の間に開口してある。挟持部６１・６２に固定された面状ヒーター６３は、図１３に想像線で示すように左ケース６０ａと右ケース６０ｂの接合面と平行になるように支持した。
【０００７】
試作した上記のまつ毛整形具をテストした結果、加熱窓６４を通過するまつ毛を概ね均等に加熱できることを確認した。しかし、さらに検討を加えた結果、通電状態における面状ヒーター６３が、加熱窓６４から遠ざかる向きへ内凹み状に膨張変形する可能性のあることが判明した。因みに、面状ヒーター６３が内凹み状に膨張変形した状態では、加熱窓６４を通過するまつ毛に対して充分に熱を伝えることができず、まつ毛の整形に時間がかかることが予想される。
【０００８】
本発明は上記の知見に基づき提案されたものであって、加熱対象を効果的に加熱することができる加熱ヘッドを備えた美容器具を提供することにある。
【課題を解決するための手段】
【０００９】
本発明に係る美容器具は、本体ケース１と、本体ケース１で支持される加熱ヘッド２とを備えており、加熱ヘッド２の伝熱部１４に加熱対象を加熱する面状ヒーター１５が配置してある。面状ヒーター１５は、一対の絶縁シート２５・２６と、両絶縁シート２５・２６の間に配置された発熱素子２７とを含んで構成されて、伝熱部１４の内部に設けた固定部１９・２０に固定されている。固定部１９・２０に固定された面状ヒーター１５は、伝熱部１４へ向かって外突状に湾曲していることを特徴とする。本発明における固定部１９・２０とは、面状ヒーター１５を一対の固定部１９・２０で機械的に挟持固定する場合と、面状ヒーター１５を少なくともいずれか一方の固定部１９・２０に接着固定する場合と、機械的な挟持作用と接着作用とを併用して、面状ヒーター１５を固定部１９・２０に固定する場合のいずれをも含む概念である。
【００１０】
面状ヒーター１５は、一対の絶縁シート２５・２６の周縁どうしを接合固定して構成する。接合固定されたヒーター周縁部２９を固定部１９・２０で固定する。
【００１１】
ヒーター周縁部２９に凹周縁部３４と凸周縁部３５とを形成し、凸周縁部３５を固定部１９・２０で固定する。
【００１２】
一対の絶縁シート２５・２６のうち、伝熱部１４と正対する側の絶縁シート２６の厚みを、他方の絶縁シート２５の厚みより大きく設定する。
【００１３】
一対の絶縁シート２５・２６の間に配置した発熱素子２７は、いずれか一方の絶縁シート２５に粘着シート２８を介して接着固定する。粘着シート２８のシート基材は熱硬化性を備えたプラスチックシートで形成する。
【発明の効果】
【００１４】
本発明においては、面状ヒーター１５を一対の絶縁シート２５・２６と、両絶縁シート２５・２６の間に配置される発熱素子２７などで構成し、伝熱部１４の内部に設けた挟持部１９・２０で固定して、面状ヒーター１５を伝熱部１４へ向かって外突状に湾曲させるようにした。このように、面状ヒーター１５を伝熱部１４へ向かって外突状に湾曲させると、加熱対象を面状ヒーター１５に直接接触させて効果的に加熱することができ、あるいは伝熱部１４を通過する加熱対象を面状ヒーター１５の放射熱で加熱できるので、加熱対象を短時間で加熱することができる加熱ヘッドを備えた美容器具を提供できる。例えば、本発明を適用したまつ毛整形具の場合には、まつ毛を面状ヒーター１５に確実に接触させ、さらに面状ヒーター１５の放射熱でまつ毛を確実に加熱して、効果的にまつ毛をカールすることができる。
【００１５】
一対の絶縁シート２５・２６の周縁どうしを接合固定して面状ヒーター１５を構成し、接合固定されたヒーター周縁部２９を固定部１９・２０で固定する美容器具によれば、ヒーター周縁部２９を除く面状ヒーター１５の面壁が撓むことで熱膨張を吸収して、ヒーター周縁部２９に無理な力が掛かるのを防止できる。また、熱膨張によって発熱素子２７が外面側の絶縁シート２６や粘着シート２８に対してずれ動くのを確実に防止できる。また、発熱素子２７の熱が、左右の固定部１９・２０の側へ伝導しようとするのをヒーター周縁部２９で阻止して、発熱素子２７による加熱対象の加熱を効果的に行なうことができる。
【００１６】
ヒーター周縁部２９に凹周縁部３４と凸周縁部３５とを形成し、凸周縁部３５を固定部１９・２０で固定すると、ヒーター周縁部２９と固定部１９・２０との接触面積を小さくできる。これに伴い発熱素子２７の熱がヒーター周縁部２９から左右の固定部１９・２０の側へ伝導しようとするのをさらに確実に防止して、面状ヒーター１５による加熱対象の加熱をさらに効果的に行なうことができる。
【００１７】
一対の絶縁シート２５・２６のうち、伝熱部１４と正対する側の絶縁シート２６の厚みが他方の絶縁シート２５の厚みより大きく設定してあると、発熱素子２７を発熱させた状態では、厚みが大きな絶縁シート２６の熱膨張量を大きくできる。従って面状ヒーター１５の外突湾曲形状を厚みが大きな絶縁シート２６の熱膨張作用で保持して、面状ヒーター１５が内凹み状に湾曲するのを確実に防止できる。
【００１８】
発熱素子２７を一方の絶縁シート２５に粘着シート２８を介して接着固定する場合に、粘着シート２８のシート基材を熱硬化性のプラスチックシートで形成すると、粘着シート２８を加熱した状態において、基材シートを外突湾曲形状のままで熱硬化させることができる。従って、粘着シート２８を熱硬化させたのちに、面状ヒーター１５が平坦な形状や、内凹み状に変形するのを粘着シート２８で規制して、面状ヒーター１５の外突湾曲形状をさらに確実に保持し続けることができる。
【図面の簡単な説明】
【００１９】
【図１】本発明に係る加熱ヘッドの横断平面図である。
【図２】本発明を適用したまつ毛整形具の正面図である。
【図３】面状ヒーターの装着構造を示す縦断側面図である。
【図４】面状ヒーターの詳細構造を示す分解斜視図である。
【図５】面状ヒーターの平面図である。
【図６】図５におけるＡ−Ａ線断面図である。
【図７】本発明を適用した塗伸ばし器具の縦断正面図である。
【図８】本発明に係る加熱ヘッドの別の実施例を示す要部の斜視図である。
【図９】図８に係る加熱ヘッドの横断平面図である。
【図１０】面状ヒーターの別の実施例を示す縦断面図である。
【図１１】面状ヒーターのさらに別の実施例を示す分解斜視図である。
【図１２】面状ヒーターのさらに別の実施例を示す横断面図である。
【図１３】本発明に先行して試作したまつ毛整形具の横断平面図である。
【発明を実施するための形態】
【００２０】
（実施例）  図１ないし図６は本発明をまつ毛整形具に適用した実施例を示す。図２においてまつ毛整形具は、グリップを兼ねる中空筒状の本体ケース１と、本体ケース１の上部に設けたまつ毛整形用の加熱ヘッド２と、想像線で示すヘッドキャップ３とで構成してある。本体ケース１の下端にはケースキャップ４がねじ込み装着してあり、ケースキャップ４を本体ケース１から取外した状態において、電池５をケース内部に出入れできる。本体ケース１の前面には、電池５と後述する面状ヒーター１５との間の通電状態をオン・オフするスイッチノブ６が設けてある。
【００２１】
図１に示すように、加熱ヘッド２は、左右のヘッドケース２ａ・２ｂを接合して中空枠状に形成してあり、右ヘッドケース２ｂの外側面にまつ毛を整形する整形部１１が設けてある。整形部１１には、まつ毛を梳くための櫛歯１２が上下方向へ一定間隔おきに形成してあり、各櫛歯１２の間に加熱窓１３が開口してある。各櫛歯１２は伝熱部１４を前後に横切る状態で設けられて、右ヘッドケース２ｂの前後壁どうしを橋絡している。加熱窓１３を含む各櫛歯１２に挟まれた空間が伝熱部１４を構成しており、この伝熱部１４に臨む状態で面状ヒーター１５が配置してある。まつ毛は伝熱部１４を通過する間に面状ヒーター１５で加熱される。
【００２２】
左ヘッドケース２ａの前後に設けた接合面１７を、右ヘッドケース２ｂの前後に設けた接合面１８で受止め、これら両者を接着することにより、左右のヘッドケース２ａ・２ｂを一体化している。両ヘッドケース２ａ・２ｂで面状ヒーター１５を固定保持するために、各接合面１７・１８に連続して面状ヒーター１５を挟持する挟持段部（固定部）１９・２０を形成している。また、左ヘッドケース２ａの挟持段部１９に連続して凹部２１を形成し、その前後中央に、面状ヒーター１５を伝熱部１４の側へ向かって外突状に湾曲させるためのリブ壁２２を形成している。リブ壁２２の突端面は、左ヘッドケース２ａ側の挟持段部１９を通る平面より外側に位置させてある。面状ヒーター１５は、その前後縁が伝熱部１４の内部に設けた挟持段部１９・２０で厚み方向へ挟持されて、前後、左右、上下へ移動不能に固定される。
【００２３】
図４ないし図６に示すように、面状ヒーター１５は、一対の絶縁シート２５・２６と、両絶縁シート２５・２６の間に配置される発熱素子２７および粘着シート２８とで構成する。両絶縁シート２５・２６のうち、左ヘッドケース２ａ側の挟持段部１９で支持される絶縁シート２５は、厚みが１８８μｍのＰＥＴ樹脂シートで形成してある。また、右ヘッドケース２ｂ側の挟持段部２０で支持される絶縁シート２６は、厚みが８０μｍのポリエステル樹脂シート２６ａを３枚重ねにし、積層されたポリエステル樹脂シート２６ａどうしを接着して形成してある（図４参照）。粘着シート２８は、そのシート基材を熱硬化性を備えたプラスチックシート、例えば熱硬化エポキシ樹脂シートで形成し、シート基材の片面に粘着材を塗布した粘着シートからなる。
【００２４】
発熱素子２７は、ステンレス箔にエッチング処理を施して形成してあり、一対の四角形状の端子部３１・３１に連続して波形の発熱パターン部３２・３２を形成し、両発熱パターン部３２・３２の端部どうしを橋絡部３３で連続させて形成する。発熱素子２７の厚みは１５０μｍとした。得られた発熱素子２７は、端子部３１、発熱パターン部３２、および橋絡部３３が同一平面状で面一状に連続しており、発熱パターン部３２が先の平面上で波形に蛇行することで、発熱面が面状になるように形成してある。このように、発熱素子２７を面一状に形成することにより、面状ヒーター１５の薄型化に寄与でき、さらに発熱パターン部３２の発熱密度が高い分だけ発熱量を向上できる。なお、発熱素子２７は、ステンレス以外にアルミニウム、銅などの金属箔または金属シートで形成してあってもよい。
【００２５】
面状ヒーター１５は、例えば以下の要領で組むことができる。先の粘着シート２８を左ヘッドケース２ａ側の絶縁シート２５の中央に接着したのち、粘着シート２８の上面に発熱素子２７を載置して、その端子部３１を絶縁シート２５の短辺部の外に露出させる。さらに、右ヘッドケース２ｂ側の絶縁シート２６を絶縁シート２５に被せつけた状態で、両絶縁シート２５・２６の周縁を熱溶着することにより、発熱素子２７および粘着シート２８を間に挟み固定した面状ヒーター１５のブランクを形成できる。上記のように、一対の絶縁シート２５・２６の周縁を熱溶着すると、ヒーター周縁部２９を除く面状ヒーター１５の面壁が撓むことで熱膨張を吸収して、ヒーター周縁部２９に無理な力が掛かるのを防止できる。また、発熱素子２７が外面側の絶縁シート２６で押え保持されて同シート２６に密着するので、熱膨張によって発熱素子２７が外面側の絶縁シート２６や粘着シート２８に対してずれ動くのを確実に防止できる。また、発熱素子２７の熱が、左右の挟持段部１９・２０の側へ伝導しようとするのを熱溶着されたヒーター周縁部２９で阻止できる。
【００２６】
ヒーター周縁部２９どうしを接合固定して得られたブランクを型抜きすることにより、図５に示すように、面状ヒーター１５の周縁に凹周縁部３４と凸周縁部３５を交互に形成する。ヒーター周縁部２９どうしを熱溶着する過程では、発熱素子２７の周囲に空気が閉じ込められることがあり、発熱素子２７が発熱するとき、閉じ込められた空気が膨張するおそれがある。このような事態を解消するために、一部の凹周縁部３４に空気の出入口を形成しておくことができる。また、ヒーター周縁部２９の一部を未溶着のままにして、微細な空気通路を設けることができる。両絶縁シート２５・２６の熱溶着部分を、図５に交差ハッチングで示しており、粘着シート２８の周縁は、熱溶着部分の内縁より内側に位置させてある。
【００２７】
得られた面状ヒーター１５を右ヘッドケース２ｂの内面に組付け、その凸周縁部３５を挟持段部２０にはめ込んだのち、左ヘッドケース２ａを右ヘッドケース２ｂに組付けて、両ヘッドケース２ａ・２ｂの接合面１７・１８どうしを接合して一体化する。この状態の面状ヒーター１５は図１に示すように、その凸周縁部３５が内外に対向する挟持段部１９・２０で挟持固定され、さらに、前後中央がリブ壁２２で受止められるので、面状ヒーター１５の全体は伝熱部１４の側へ向かって外突状に湾曲する。また、まつ毛整形具の組み立てが完了したのち、発熱素子２７を発熱させて粘着シート２８を加熱すると、粘着シート２８の基材シートが外突湾曲形状のまま熱硬化する。従って、粘着シート２８が熱硬化したのちに、外突湾曲形状が平坦に戻ったり、内凹み状に湾曲することはない。加えて、伝熱部１４に臨む絶縁シート２６の厚みが、リブ壁２２で受止められている絶縁シート２５の厚みより大きく設定してある。そのため、発熱素子２７を発熱させた状態では、伝熱部１４に臨む絶縁シート２６の熱膨張量が大きくなるので、このことによっても面状ヒーター１５の外突湾曲形状を保持することができる。
【００２８】
以上のように構成したまつ毛整形具は、片手で本体ケース１を握り、スイッチノブ６をオン状態にして面状ヒーター１５を発熱させた状態で使用する。具体的には、整形部１１が上部に位置する状態でまつ毛整形具を概ね水平に保持し、整形部１１をまつ毛の湾曲中央部分にあてがってこの状態を保持し、まつ毛を面状ヒーター１５で加熱しながらすくいあげて上向きにカールする。このとき、まつ毛を櫛歯１２で捕捉して、まつ毛が横移動するのを規制できるので、隣接する櫛歯１２の間に捕捉されたまつ毛の一群を適正にくせ付けすることができる。同様にして、目頭や目尻の部分のまつ毛をカールすることができる。
【００２９】
まつ毛をカールする際には、面状ヒーター１５の外突湾曲面の近傍をまつ毛が通過するので、まつ毛を面状ヒーター１５に確実に接触させ、あるいは面状ヒーター１５の放射熱でまつ毛を確実に加熱することができるので、効果的にまつ毛をカールすることができる。また、凸周縁部３５のみを挟持段部１９・２０で挟持固定するので、発熱素子２７の熱が、ヒーター周縁部２９から左右の挟持段部１９・２０の側へ伝導しようとするのをさらに確実に防止して、面状ヒーター１５によるまつ毛の加熱を効果的に行なうことができる。
【００３０】
図７は本発明をリップクリーム等の塗伸ばし器具に適用した実施例を示す。そこでは、円筒状に形成した本体ケース１の上端に加熱ヘッド２を設けている。加熱ヘッド２は、本体ケース１の上端に設けたヒーター装着部４０と、同装着部４０に外嵌装着した塗伸ばしキャップ４１と、これら両者４０・４１の間に配置した面状ヒーター１５とで構成してある。ヒーター装着部４０は、上向きに突出するリング状の筒壁４２と、筒壁４２に外嵌装着されるリング状のヒーターキャップ４３とで構成する。筒壁４２で囲まれた凹部２１の内部には、リング状のリブ壁４４が筒壁４２と同心状に突設され、リブ壁４４の中央にヒーター支持突起４５が突設してある。筒壁４２の上端面が挟持段部１９になっている。ヒーターキャップ４３は、筒壁４２に外嵌するキャップ周壁４６と、キャップ周壁４６の上端から内向きに張出される押圧壁４７を一体に備えており、押圧壁４７の内面が挟持段部２０になっている。
【００３１】
塗伸ばしキャップ４１は、ヒーターキャップ４３に外嵌するキャップ筒壁５０と、キャップ筒壁５０の上部に連続する部分球面状の塗伸ばし面５１とを一体に備えた金属製のキャップからなる。塗伸ばし面５１は研削加工とめっき処理とが施されて、滑らかに仕上げてある。この実施例における伝熱部１４は、塗伸ばし面５１と、同面５１に近接する周囲空間とで構成される。
【００３２】
この実施例における面状ヒーター１５は、基本的に先の実施例で説明した面状ヒーター１５と同様にして形成するが、その外形が円形に形成してある点と、全体が上突の部分球面状に塑性変形してある点が、先の実施例と異なっている。また、面状ヒーター１５の外形を円形に形成するのに伴って、凹周縁部３４と凸周縁部３５を面状ヒーター１５の円弧状のヒーター周縁部２９に沿って交互に形成する点が、先の実施例と異なっている。面状ヒーター１５をヒーターキャップ４３の内面に装着したのち、ヒーターキャップ４３を筒壁４２に外嵌固定することにより、面状ヒーター１５の下面側をリブ壁４４とヒーター支持突起４５とで支持して、面状ヒーター１５を外突湾曲状に保持することができる。さらに、塗伸ばしキャップ４１をヒーターキャップ４３に外嵌装着することにより、塗伸ばし面５１の内面に面状ヒーター１５の上面を密着させることができる。他は、先の実施例と同じであるので、同じ部材に同じ符号を付してその説明を省略する。以下の実施例においても同じとする。
【００３３】
以上のように構成した塗伸ばし器具によれば、面状ヒーター１５の熱の大半を塗伸ばし面５１側へ伝導して、唇に塗布したリップクリームやリップグロスなどを好適に塗り伸ばし、あるいは熱で溶けたリップクリームなどをひび割れ内に塗込むことができる。なお、図７で説明した塗伸ばし器具は、美容用の温熱マッサージ器として使用することができ、その場合には、図示していないスイッチノブ６を複数段に切換えて、面状ヒーター１５の発熱量を変更することができる。
【００３４】
図８および図９は、まつ毛整形具の別の実施例を示す。そこでは、図１で説明した加熱ヘッド２と同様に、伝熱部１４の内部に面状ヒーター１５を配置するが、以下の各点が先の実施例と異なる。第１の相違点は、櫛歯１２を省略して、整形部１１の上下方向の全体にわたって加熱窓１３を開口することにある。このように櫛歯１２を省略して、面状ヒーター１５を加熱窓１３から露出させると、加熱ヘッド２の全体厚みを薄くすることができる。また、加熱窓１３から露出する面状ヒーター１５の表面にまつ毛を当接させてまつ毛を整形するので、まつ毛を効果的に加熱することができる。
【００３５】
第２の相違点は、面状ヒーター１５を、内外一対の樹脂シート製の絶縁シート２５・２６と、両絶縁シート２５・２６の間に配置した金属製の発熱素子２７とで構成し、リブ壁２２で支持される側の絶縁シート２５の厚みを、伝熱部１４に臨む側の絶縁シート２６の厚みより大きく設定することにある。このように、伝熱部１４に臨む側の絶縁シート２６の厚みを小さくすると、発熱素子２７で発生した熱をまつ毛に対して効率よく伝導できるので、まつ毛のカールをさらに効果的に行なうことができる。また、挟持段部１９・２０で挟持固定した状態の面状ヒーター１５の全体は、図９に示すように平坦に支持することができ、その場合でも、リブ壁２２で面状ヒーター１５の片面を支持することにより、面状ヒーター１５が内凹み状に湾曲するのを防止することができる。なお、加熱ヘッド２以外の本体ケース１を含む全体構造は、図１から図６で説明したまつ毛整形具と同じ構造に構成してある。
【００３６】
図１から図６で説明したまつ毛整形具、および図８、図９で説明したまつ毛整形具は、以下の態様で実施することができる。
本体ケース１と、本体ケース１で支持される加熱ヘッド２とを備えており、
加熱ヘッド２の伝熱部１４の少なくとも一側に加熱窓１３が開口されており、
伝熱部１４の内部に、加熱対象を加熱する面状ヒーター１５が配置されて、同ヒーター１５の外表面が前記加熱窓１３から露出させてあり、
面状ヒーター１５は、一対の絶縁シート２５・２６と、両絶縁シート２５・２６の間に配置された発熱素子２７とで構成されており、
前記加熱窓１３から露出する面状ヒーター１５の表面にまつ毛を当接させてまつ毛を整形するまつ毛整形具。
【００３７】
上記のまつ毛整形具においては、加熱窓１３に露出する面状ヒーター１５の表面は、外突湾曲状に保形してあってもよく、加熱窓１３の窓開口面と平行に保形してあっても良い。
【００３８】
上記のまつ毛整形具において、一対の絶縁シート２５・２６のうち、まつ毛に当接する側の絶縁シート２６の厚みを、他方の絶縁シート２５の厚みより小さく設定する。
【００３９】
図１０は面状ヒーター１５の別の実施例を示す。そこでは、下側の絶縁シート２５に粘着シート２８を接着し、さらに上側の絶縁シート２６に粘着シート２８を接着し、両粘着シート２８・２８の間に発熱素子２７を挟み込んで、面状ヒーター１５をサンドイッチ構造状に構成した。この場合には、両絶縁シート２５・２６の周縁部を挟持段部１９・２０で挟持して、面状ヒーター１５を伝熱部１４の内部に固定する。このように、一対の粘着シート２８の間に発熱素子２７を配置すると、熱硬化性のプラスチックシートで形成してある粘着シート２８の保形作用を強化して、面状ヒーター１５の外突湾曲形状をさらに確実に保持できる。この実施例から理解できるように、両絶縁シート２５・２６の周縁は必ずしも熱溶着する必要はない。
【００４０】
図１１は面状ヒーター１５のさらに別の実施例を示す。そこでは、一対の絶縁シート２５・２６の長辺部のみを熱溶着して、短辺部が開口する袋状に形成し、その内部に発熱素子２７を差込んで面状ヒーター１５を構成した。この場合にも、リブ壁２２で面状ヒーター１５の片面を支持することにより、面状ヒーター１５を外突湾曲形状に保持することができる。熱溶着されたヒーター周縁部２９は、挟持段部１９・２０で挟持固定される。なお、この実施例に係る面状ヒーター１５においては、袋状に形成した絶縁シート２５・２６の短辺部が開口してあるので、発熱素子２７が発熱するのに伴って熱膨張する袋内の空気を先の短辺部から逃がすことができる。
【００４１】
図１２は面状ヒーター１５の固定構造を変更した別の実施例を示す。そこでは、左右一対の挟持段部１９・２０を、面状ヒーター１５の湾曲形状に沿って外すぼまり状に傾斜させるようにした。このように、各接合面１７・１８に連続する左右の挟持段部１９・２０が外すぼまり状に傾斜させてあると、面状ヒーター１５の凸周縁部３５を挟持段部２０にはめ込んだのち、挟持段部１９・２０で挟持するだけで面状ヒーター１５を外突湾曲状に保持することができるので、組立時に面状ヒーター１５を湾曲変形する手間を省くことができる。
【００４２】
面状ヒーター１５の構造に関して、絶縁シート２５・２６は樹脂シートで形成する必要はなく、例えば、アルミニウムやステンレスなどの金属製のシートで形成することができる。アルミニウムシートを素材とする場合には、シート表面のうち、少なくとも発熱素子２７と密着する側のシート面に陽極酸化処理を施して絶縁皮膜を形成することができる。また、ステンレスシートを素材とする場合には、シート表面のうち、少なくとも発熱素子２７と密着する側のシート面にアルミニウムを蒸着したのち、陽極酸化処理を施して絶縁皮膜を形成することができる。
【００４３】
一対の絶縁シート２５・２６のうち、伝熱部１４に臨む側の絶縁シート２６を金属製のシートで形成し、リブ壁２２で支持される側の絶縁シート２５を樹脂シートで形成すると、後者の絶縁シート２５の断熱作用で、発熱素子２７の熱が凹部２１の側へ逃げるのを防止できる点で好ましい。しかし、必要があれば、一対の絶縁シート２５・２６のそれぞれを、金属製のシートで形成することができる。以上のように、伝熱部１４に臨む側の絶縁シート２６を金属製のシートで形成すると、絶縁シート２６が樹脂シートで形成してある場合に比べて、発熱素子２７の熱を効率よく伝導できる。従って、まつ毛の整形をさらに効果的に行うことができる。以上の面状ヒーター１５は、図１から図９で説明した美容器具のいずれにも適用できる。
【００４４】
上記のように、絶縁シート２５・２６を金属製のシートで形成する場合には、発熱素子２と金属製の絶縁シート２５・２６との間に樹脂製の絶縁フィルムを配置して、面状ヒーター１５の絶縁性を向上することができる。絶縁フィルムとしては、シリコン樹脂や、ポリウレタン樹脂などの絶縁性に富む樹脂で形成することができ、その場合の絶縁フィルムの厚みは、絶縁シート２５・２６あるいは発熱素子２７の厚みより薄くすることができる。
【００４５】
図１から図９で説明した美容器具は、以下の各態様で実施することができる。
【００４６】
（態様１）
本体ケース１と、本体ケース１で支持される加熱ヘッド２とを備えており、
加熱ヘッド２の内部に、加熱対象を加熱する面状のヒーター１５が配置されており、
面状のヒーター１５は、一対の絶縁シート２５・２６と、両絶縁シート２５・２６の間に配置された発熱素子２７とで構成されており、
一対の絶縁シート２５・２６のうち、少なくとも加熱対象を加熱する側の絶縁シート２６が金属製のシートで構成してある美容器具。
【００４７】
上記のように、少なくとも加熱対象側の絶縁シート２６を金属製のシートで構成すると、発熱素子２７の熱を絶縁シート２６で効率よく伝導できるので、例えばまつ毛などの加熱対象を効果的に加熱することができる。
【００４８】
（態様２）
本体ケース１と、本体ケース１で支持される加熱ヘッド２とを備えており、
加熱ヘッド２の内部に、加熱対象を加熱する面状のヒーター１５が配置されており、
面状のヒーター１５は、一対の絶縁シート２５・２６と、両絶縁シート２５・２６の間に配置された発熱素子２７とで構成されており、
一対の絶縁シート２５・２６のうち、加熱対象を加熱する側の絶縁シート２６が金属製のシートで構成され、他方の絶縁シート２５が樹脂シートで構成してある美容器具。
【００４９】
上記のように、一対の絶縁シート２５・２６のうち、加熱対象側の絶縁シート２６を金属製のシートで構成し、他方の絶縁シート２５を樹脂シートで構成すると、発熱素子２７の熱を絶縁シート２６で効率よく伝導できるので、例えばまつ毛などの加熱対象を効果的に加熱することができる。さらに、後者の絶縁シート２５の断熱作用で、発熱素子２７の熱が後者の絶縁シート２５を介して伝導し、あるいは放熱されるのを抑止できるので、加熱対象をさらに効果的に加熱することができる。
【００５０】
（態様３）
本体ケース１と、本体ケース１で支持される加熱ヘッド２とを備えており、
加熱ヘッド２の少なくとも一側に加熱窓１３が開口されており、
加熱ヘッド２の内部に、加熱対象を加熱する面状のヒーター１５が配置されて、同ヒーター１５の外表面が加熱窓１３から露出させてあり、
面状のヒーター１５は、一対の絶縁シート２５・２６と、両絶縁シート２５・２６の間に配置された発熱素子２７とで構成されており、
一対の絶縁シート２５・２６のうち、加熱対象を加熱する側の絶縁シート２６が金属製のシートで構成され、他方の絶縁シート２５が樹脂シートで構成されており、
加熱窓１３から露出する絶縁シート２６の表面に加熱対象を当接させて美容処理する美容器具。
【００５１】
上記のように、一対の絶縁シート２５・２６のうち、加熱対象側の絶縁シート２６を金属製のシートで構成し、他方の絶縁シート２５を樹脂シートで構成すると、発熱素子２７の熱を絶縁シート２６で効率よく伝導できるので、例えばまつ毛などの加熱対象を効果的に加熱することができる。また、後者の絶縁シート２５の断熱作用で、発熱素子２７の熱が後者の絶縁シート２５を介して伝導し、あるいは放熱されるのを抑止できるので、加熱対象をさらに効果的に加熱することができる。さらに、熱伝導作用に優れた金属製の絶縁シート２６に直接加熱対象を当接できるので、加熱対象をさらに効果的に加熱して美容処理を好適に行なうことができる。
【００５２】
上記の実施例では、凹部２１に設けたリブ壁２２で面状ヒーター１５の片面を受け止めて、面状ヒーター１５を外突湾曲状に保形したが、その必要はない。例えば、左右のヘッドケース２ａ・２ｂに組付ける過程で、面状ヒーター１５を外突湾曲状に弾性変形させて、ヒーター周縁部２９を挟持段部１９・２０で挟持固定することができる。また、面状ヒーター１５を予め外突湾曲状に塑性変形させておいてもよい。
【００５３】
左ヘッドケース２ａと右ヘッドケース２ｂのそれぞれに挟持段部１９・２０を設けたがその必要はなく、左右のヘッドケース２ａ・２ｂのいずれか一方にのみ挟持段部を形成して、他方の挟持部は接合面と面一に形成することができる。一対の絶縁シート２５・２６の周縁どうしは熱溶着する必要はなく、接着により接合固定することができる。図１に示す加熱ヘッド２において、加熱窓１３を省略して整形部１１の全体を壁面で覆い、その内部に面状ヒーター１５を密着配置することができる。
【符号の説明】
【００５４】
１  本体ケース
２  加熱ヘッド
２ａ  左ヘッドケース
２ｂ  右ヘッドケース
１１  整形部
１２  櫛歯
１３  加熱窓
１４  伝熱部
１５  面状ヒーター
１９  固定部（挟持段部）
２０  固定部（挟持段部）
２２  リブ壁
２５  絶縁シート
２６  絶縁シート
２７  発熱素子
２８  粘着シート
【図１】
2014064734.tif 000003
【図２】
2014064734.tif 000004
【図３】
2014064734.tif 000005
【図４】
2014064734.tif 000006
【図５】
2014064734.tif 000007
【図６】
2014064734.tif 000008
【図７】
2014064734.tif 000009
【図８】
2014064734.tif 000010
【図９】
2014064734.tif 000011
【図１０】
2014064734.tif 000012
【図１１】
2014064734.tif 000013
【図１２】
2014064734.tif 000014
【図１３】
2014064734.tif 000015